(57)【要約】【課題】充分高い酸化分解率が得られ、かつ効率的に液体中の有機物を湿式酸化し無害化する有機物酸化分解装置を提供する。【解決手段】有機物を含有する液体に酸素含有ガスを供給し、前記有機物を湿式酸化させ無害化する有機物酸化分解装置１であって、気液混合手段１１を備え、前記有機物を高温高圧下で酸化分解する第一酸化反応器１０と、前記第一酸化反応器１０から排出される有機物を高温高圧下で酸化分解する固定床触媒反応器からなる第二酸化反応器３０と、を含む。【選択図】図１
2008221096.tif 000002
【特許請求の範囲】
【請求項１】
有機物を含有する液体に酸素含有ガスを供給し、前記有機物を湿式酸化させ無害化する有機物酸化分解装置であって、
気液混合手段を備え、前記有機物を高温高圧下で酸化分解する第一酸化反応器と、
前記第一酸化反応器から排出される有機物を高温高圧下で酸化分解する固定床触媒反応器からなる第二酸化反応器と、
を含むことを特徴とする有機物酸化分解装置。
【請求項２】
前記第一酸化反応器へ供給する前記酸素含有ガスの量は、前記第一酸化反応器で必要とする酸素の量と前記第二酸反応器で必要とする酸素の量とを供給可能な量とし、
前記第二酸化反応器へは、前記第一酸化反応器経由で、前記酸素含有ガスを供給することを特徴とする請求項１に記載の有機物酸化分解装置。
【請求項３】
前記第一酸化反応器は、撹拌機を備える塔型酸化反応器であることを特徴とする請求項１又は２に記載の有機物酸化分解装置。
【請求項４】
前記塔型酸化反応器は、内部を長手方向に多段に仕切る仕切板と、
前記仕切板を支持固定する支持体と、
各段毎に装着された撹拌翼と、
を備えることを特徴とする請求項３に記載の有機物酸化分解装置。
【請求項５】
前記撹拌翼は、気泡を微細化可能な撹拌翼であることを特徴とする請求項４に記載の有機物酸化分解装置。
【請求項６】
前記支持体の外径をＢ、前記塔型酸化反応器の内径をＤ１、前記支持体の数をｎＢとしたとき、（Ｂ／Ｄ１）１．２ｎＢが０．２〜０．３５であることを特徴とする請求項４又は５に記載の有機物酸化分解装置。
【発明の詳細な説明】
【技術分野】
【０００１】
本発明は、有機物を含有する液体に酸素含有ガスを供給し、有機物を湿式酸化させ無害化する有機物酸化分解装置に関する。
【背景技術】
【０００２】
現在、食品廃棄物、し尿その他の有機物含有排水の処理法には、（１）焼却処理法、（２）醗酵処理法、（３）活性汚泥処理法及び（４）湿式酸化処理法などの方法がある。
【０００３】
焼却処理法は、補助燃料を焚いて有機物含有排水を焼却炉内で焼却処理する方法である。焼却に際しては、有機物含有排水を火炎中に直接噴霧して焼却処理する方法や、排熱を利用して有機物含有排水を気化させたのちに火炎と接触させて焼却処理する方法などがある。また、省エネルギーのために蓄熱式酸化炉を用いる方法がある。特許文献１には、排熱を利用して有機物含有廃水を気化させたのちに蓄熱式酸化炉で焼却処理する方法について述べられている。焼却処理法には、複雑な操作を伴わずに安定した処理性が得られるという利点がある一方で、多くの問題点をもっている。それらを挙げると、高温での燃焼のため多くのエネルギーを要する、特に大量に含まれる水の蒸発潜熱と燃焼温度までの顕熱を供給するため多くのエネルギーを要する。燃焼設備や排熱回収設備さらに排ガス処理設備などのコストがかかる。ダイオキシンの発生や、大量のエネルギー（補助燃料）消費に伴う地球温暖化ガスの発生などの問題がある。このため、焼却処理は有機物含有排水の処理法としては有利な方法とは言い難い。
【０００４】
醗酵処理法は、醗酵槽に好気性菌及び好気性菌により分解される被分解有機物を混合した混合物を含有する菌床を貯留し、この菌床に空気を供給して菌床中の好気性菌を増殖させ、この好気性菌が生成する酵素の触媒作用により被分解有機物を醗酵分解させる方法である。特許文献２、特許文献３に、醗酵処理法に於いて菌床の調整法や空気の供給法に関する改良が述べられている。しかし、醗酵処理による方法は、品質の変化する廃水に対して安定した処理性や高い生産性を得るのは難しい。悪臭や廃棄物処理などの問題もあり工業規模の有機物含有排水の処理法にはなり難い。
【０００５】
活性汚泥処理法は、比較的有機物濃度が薄く固形分（ＳＳ）が自然沈降し易い有機物含有排水の処理法として用いられる方法である。特許文献４には、有機物濃度が高く、またＳＳ濃度も高く、自然沈降によって清澄な上澄液が得られないような有機物含有排水に対して、他の工業廃水を混ぜて後に静置法により清澄な上澄液を得てから活性汚泥処理をする方法が述べられている。また、特許文献５には、有機物濃度が高く且つＳＳ濃度の高い廃液を予め加熱処理して発生する固形分を取り除いた後に活性汚泥処理をする方法について述べられている。しかし、活性汚泥処理法は、広い施設面積を要し余剰汚泥の処理も必要である。また悪臭対策が必要である。更に有機物濃度が高く且つＳＳ濃度の高い排水に対して特許文献４や特許文献５の処理を加えるとすれば、設備コストやエネルギーその他の処理コストも大きくなり、有機物含有排水の処理法として有利な方法とは言い難い。
【０００６】
湿式酸化処理法は、有機物含有排水に酸素含有ガスを加えて、高温、高圧容器内で有機物を酸化させ、水と炭酸ガスなどに分解し無害化するもので、液体の状態のままで処理するので装置をコンパクト化することが可能で、しかも酸化開始温度にまで昇温するのに大きな蒸発潜熱を与える必要が無い。また有機物濃度がある程度（数％）以上であれば、一旦酸化分解が始まればその反応熱で反応を継続することができ、さらに余剰の熱を回収することもできる。湿式酸化処理法は、比較的高濃度の有機物含有排水の処理に適した方法である。特許文献６には廃棄物に含まれる固形状有機物をスラリー状にする手段と、該スラリーに含まれる有機物を湿式酸化分解・液化する手段と、該液化した処理液を触媒により無機化する手段とからなることを特徴とする有機廃棄物の無害化システムについて述べられている。また、特許文献７には、特許文献６のシステムに更に不純物吸着装置、高度浄水装置、炭酸ガス濃縮装置、更に炭酸ガスを水素と反応させてメタンガスを生成する炭酸ガス還元装置を備えていることを特徴とする有機廃棄物及び有機排水の再資源化システムについて述べられている。これらの二つの特許文献には、有機物含有廃水の湿式酸化処理に関する基本的なシステムが述べられている。
【特許文献１】特許公表２００２−５２３７１８号公報
【特許文献２】特開平１０−２８７４８５号公報
【特許文献３】特開平１０−３２８６４３号公報
【特許文献４】特開平１１−１８８３７０号公報
【特許文献５】特開２００１−３１０１９７号公報
【特許文献６】特許第２８７９１９９号公報
【特許文献７】特許第３７１６２８６号公報
【発明の開示】
【発明が解決しようとする課題】
【０００７】
有機物含有排水処理、又は有機物を含む液体の処理を、湿式酸化処理法により工業規模で効率よく経済的に行うためには、酸化分解反応を効率的に遂行するプロセス、装置を提供する必要がある。酸化分解反応を効率的に遂行するプロセス、装置とするのための因子としては、有機物を含む液体と酸素含有ガスとの気液接触、反応時間、反応温度・圧力のコントロールなどが挙げられ、これらに関して、酸化分解反応を効率的に遂行するための形態を見出して、プロセス、装置として具体化する必要がある。これらの観点から上記二つの特許文献を見ると、僅かに特許文献７に酸化分解反応器内部に半月板状のバッフル板を備えることや、供給した空気を有機物と接触し易くするための散気板を設けることの記述があるが、それ以外には酸化分解反応を効率的に、又は最適に遂行するためのプロセス、装置に関する特段の記述はない。
【０００８】
本発明の目的は、充分高い酸化分解率が得られ、かつ効率的に液体中の有機物を湿式酸化し無害化する有機物酸化分解装置を提供することである。
【課題を解決するための手段】
【０００９】
本発明は、有機物を含有する液体に酸素含有ガスを供給し、前記有機物を湿式酸化させ無害化する有機物酸化分解装置であって、気液混合手段を備え、前記有機物を高温高圧下で酸化分解する第一酸化反応器と、前記第一酸化反応器から排出される有機物を高温高圧下で酸化分解する固定床触媒反応器からなる第二酸化反応器と、を含むことを特徴とする有機物酸化分解装置である。
【００１０】
また本発明は、前記有機物酸化分解装置において、前記第一酸化反応器へ供給する前記酸素含有ガスの量は、前記第一酸化反応器で必要とする酸素の量と前記第二酸反応器で必要とする酸素の量とを供給可能な量とし、前記第二酸化反応器へは、前記第一酸化反応器経由で、前記酸素含有ガスを供給することを特徴とする。
【００１１】
また本発明は、前記有機物酸化分解装置において、前記第一酸化反応器は、撹拌機を備える塔型酸化反応器であることを特徴とする。
【００１２】
また本発明は、前記有機物酸化分解装置において、前記塔型酸化反応器は、内部を長手方向に多段に仕切る仕切板と、前記仕切板を支持固定する支持体と、各段毎に装着された撹拌翼と、を備えることを特徴とする。
【００１３】
また本発明は、前記有機物酸化分解装置において、前記撹拌翼は、気泡を微細化可能な撹拌翼であることを特徴とする。
【００１４】
また本発明は、前記有機物酸化分解装置において、前記支持体の外径をＢ、前記塔型酸化反応器の内径をＤ１、前記支持体の数をｎＢとしたとき、（Ｂ／Ｄ１）１．２ｎＢが０．２〜０．３５であることを特徴とする。
【発明の効果】
【００１５】
本発明の有機物酸化分解装置は、湿式酸化法により有機物を無害化する装置であって、酸化反応器は、気液混合手段を備える第一酸化反応器と、第一酸化反応器で酸化分解されなかった有機物を酸化分解する固定床触媒反応器からなる第二酸化反応器と、を含み構成される。第一酸化反応器を気液混合手段を備える反応器とすることで大きな酸化分解速度を確保し、第二酸化反応器を固定床触媒反応器とすることで押出し流れを確保する。このように異なる特性を有する反応器を直列に配置することで、効率的でかつ酸化分解率の優れた有機物酸化分解装置とすることができる。
【００１６】
また、本発明によれば、第二酸化反応器へは、第一酸化反応器経由で、前記酸素含有ガスを供給するので、第一酸化反応器内の酸素分圧が高くなり、酸化分解速度が大きくなる。さらに第一酸化反応器で微細化された酸素ガスが第二酸化反応器へ供給されるので、第二酸化反応器の酸化分解速度も大きくなる。これにより、有機物酸化分解装置を効率的で酸化分解率の優れた、かつコンパクトな装置とすることができる。
【００１７】
また、本発明によれば、第一酸化反応器は、撹拌機を備える塔型酸化反応器であるので、気液接触に優れ大きな酸化分解速度を確保することができる。さらに塔型であるので、押出し流れ性にも優れ、被処理物のショートパスを防止することが可能となり、全体として高い酸化分解率を確保することができる。また装置をコンパクト化することができる。
【００１８】
また、本発明によれば、前記塔型酸化反応器は、仕切板により内部が長手方向に多段に仕切られ、各段毎に撹拌翼が取付けられているので、押出し流れ性がより高まり、効率的でかつ酸化分解率の優れた有機物酸化分解装置とすることができる。さらに装置をコンパク化することが可能となる。
【００１９】
また、本発明によれば、前記塔型酸化反応器に使用する撹拌翼は、気泡を微細化可能な撹拌翼であるので、気液接触面積が大きく、大きな酸化分解速度を確保することができる。これにより効率的でかつ酸化分解率の優れた有機物酸化分解装置とすることができる。さらに装置をコンパク化することが可能となる。
【００２０】
また、本発明によれば、前記塔型酸化反応器において、前記支持体の外径をＢ、前記塔型反応器の内径をＤ１、前記支持体の数をｎＢとしたとき、（Ｂ／Ｄ１）１．２ｎＢが０．２〜０．３５であるので、仕切板の支持体が、じゃま板として十分に機能する。これにより、塔型反応器の気液混合性能がより高まり、効率的でかつ酸化分解率の優れた有機物酸化分解装置とすることができる。さらに装置をコンパク化することが可能となる。
【発明を実施するための最良の形態】
【００２１】
図１は、本発明の実施の一形態としての有機物酸化分解装置１の概略的構成を示すプロセスフロー図である。図２は、図１の有機物酸化分解装置１に含まれる第一酸化反応器１０の一部を示す部分断面図である。また図３は、図１の有機物酸化分解装置１に含まれる第一酸化反応器１０の仕切板１４の変形例の一部を示す平面図である。本発明の有機物酸化分解装置１は、酸化反応器に被処理物である有機物を含む液体を供給する被処理物供給装置４、第一酸化反応器１０及び第二酸化反応器３０からなる酸化反応器２、酸化反応器２で処理された処理物を回収する回収装置５、酸素含有ガスを酸化反応器に供給する酸素ガス供給装置６を主に構成される。
【００２２】
被処理物供給装置４は、被処理物である有機物を含む液体を酸化反応器２に供給する装置で、被処理物を貯留する被処理物貯槽４０、被処理物貯槽４０内の有機物含有液体を定量供給する供給ポンプ４２、供給ポンプ４２の吐出部に設けられた熱交換器４４を含み構成される。被処理物貯槽４０は、有機物含有液体を撹拌混合し均一化すると共に、有機物が沈殿することを防止するための撹拌機４１を備え、被処理物貯槽４０内には、予め固形分が十分に粉砕されスラリー状に調整された有機物含有液体が貯留されている。供給ポンプ４２は、被処理物を酸化反応器２に供給するため、酸化反応器２と同一の圧力以上に昇圧可能な性能を有するポンプであり、スラリー状の液体を供給可能な型式のポンプである。なお、供給ポンプ４２は、必ずしもスラリー状の液体を供給可能なポンプである必要はなく、被処理物の性状に応じて適宜選択することができる。熱交換器４４は、供給ポンプ４２を介し酸化反応器２へ送る被処理物と、酸化反応器２から排出される処理物とを熱交換させ、被処理物を昇温する。ここで使用可能な熱交換器としては、多管式熱交換器など隔壁式熱交換器が例示され、被処理物の固形濃度が高い場合は、閉塞、保守を考慮した型式の熱交換器４４とすることが好ましい。
【００２３】
酸化反応器２は、撹拌機１１を備える塔型反応器からなる第一酸化反応器１０と、塔型反応器の下流側に位置する固定床触媒反応器からなる第二酸化反応器３０とからなる。第一酸化反応器１０は、撹拌機１１を備えるため、気液接触性能に優れ、かつ塔型反応器であるため、反応容器１２内が撹拌機１１で撹拌混合されつつも、全体として押出し流れ性を有する。一方、第二酸化反応器３０は、固定床触媒反応器であり、積極的に内容物を撹拌する手段を有さず、押出し流れ性に優れた酸化反応器である。このように本実施形態に示す酸化反応器２では、特性の異なる２つの酸化反応器を直列に組合せて使用している。
【００２４】
第一酸化反応器１０は、細長い反応容器１２の長手方向に複数の仕切板１４を有し、仕切板１４により内部が多数の段、ここでは５段に仕切られている。各段には各々、撹拌翼としてタービン翼１３が設置されている。仕切板１４は、４本の支持棒１７及び支持棒１７に挿入されたスリーブ１８からなる支持体１６を介して上部フランジ１５から吊り下げられた状態で固定されている。仕切板１４は、中央部に液及びガスが流通するための開口部１９が設けられている。また、仕切板１４の外縁は、反応容器内壁２７と僅かなクリアランスδ１を有する状態で取付けられている。同様に、支持体１６も反応容器内壁２７と僅かなクリアランスδ２を有している。タービン翼１３は、各仕切板１４の開口部１９を貫通するように取付けられた撹拌軸２０に固定され、その撹拌軸２０は、上部フランジ１５に軸封装置２４を介して回転可能に取付けられている。タービン翼１３は、従来から一般的に使用されるタービン翼と同様の形状であり、タービン翼１３は、気泡を微細化可能で、気液接触性能に優れることから好ましい撹拌翼である。但し、気液接触性能に優れた撹拌翼であれば、タービン翼１３に限定する必要はない。また本実施形態では、塔型反応器１０の各段の撹拌翼を全て同じ形状の撹拌翼としたけれども、必ずしも全て同じ形状の撹拌翼でなくてもよい。ここで、気液接触性能とは、気泡を微細化し、又は気泡を液中に巻き込み、気液接触面積を増大させる性能を言う。
【００２５】
反応容器１２の下部には、被処理物及び酸素含有ガスを導入するための管路２５が接続され、上部フランジ１５には、処理物及びガスを排出するための管路２６が接続されている。なお、酸素含有ガスは、反応容器１２の下部に直接供給してもよい。また、外側には、長手方向に２分割されたジャケット２２、２３が取付けられている。塔型反応器１０の場合、塔長が大きくなると、長手方向に温度分布が生じやすくなるが、このようにジャケットを長手方向で２分割し、ここに図示を省略した熱媒体供給装置から温度の異なる熱媒体を供給することで、温度分布を均一化することができる。酸化反応熱が大きく、除熱する必要がある場合は、温度の低い熱媒体を、酸化反応熱が小さく、加熱する必要がある場合は、温度の高い熱媒体を供給する。なお、ジャケットの分割数は２つに限定されるものではなく、必要に応じて分割数を変更可能なことは当然である。塔型反応器１０の長さＬ１と反応容器の内径Ｄ１との比であるＬ１／Ｄ１の値は、特に限定されないけれども、Ｌ１／Ｄ１が大きいほど、反応容器内１２全体の流れが押出し流れに近づき、未処理、未分解の被処理物が排出されにくくなるため好ましい。仕切板１４の設置枚数も多いほど、反応器内１２全体の流れが押出し流れに近づき、未処理の被処理物が排出されにくくなる。
【００２６】
上記の通り、支持棒１７と支持棒１７に挿入され、仕切板１４の位置決めを行うスリーブ１８からなる支持体１６は、仕切板１４を所定の位置に固定することを主目的とするけれども、本発明では、反応容器１２内の内容物の撹拌混合性能を高めるじゃま板としても機能させる。じゃま板は周知のように、撹拌混合性能を高めるために使用される部材であり、一般には、平板が使用されるけれども、本発明では、断面形状が円の支持体１６をじゃま板とする。支持体１６をじゃま板として機能させるためには、極端に細い支持体は避けるべきであり、支持体１６は所定の大きさ以上であることが好ましく、実質的に支持体１６の外径となるスリーブ１８の外径をＢ、反応容器１２の内径をＤ１、支持体１６の数をｎＢとしたとき、（Ｂ／Ｄ１）１．２ｎＢが０．２〜０．３５であることが好ましい。これより撹拌性能を大きく上昇させることができる。なお、支持棒とナットで仕切板を固定する場合は、支持棒が実質的にじゃま板として機能するので、支持棒を上記の支持体と考えればよい。
【００２７】
本実施形態においては、仮に比較的大きな固形分が第一酸化反応器１０に流入しても、支持体１６は、反応容器１２と僅かながらクリアランスδ２を有していることから、反応容器内壁２７と直接接することがなく、この部分に固形分が堆積しないことも有利な点である。一般的に仕切板１４が反応器内壁２７に隙間なく、取付けられていると、仕切板１４の裏面であって、反応容器１２との接触部分にガスが溜まりやすいけれども、本実施形態に示す酸化反応器においては、仕切板１４の外縁と反応器内壁２７との間に僅かながらクリアランスδ１を有するので、仕切板１４の裏面に気泡が滞留することがない。なお、必要に応じて、仕切板１４の外縁部にガス抜き用の切欠部２８を設けてもよい。
【００２８】
仕切板１４の中央部に開口された開口部１９の大きさは、撹拌翼１３の外径よりも小さいため、仕切板１４及び撹拌翼１３は、以下の要領で固定する。上部フランジ１５に支持棒１７を溶接などで固定する。撹拌棒２０は、上部フランジ１５の中心部に設けられた貫通孔（図示を省略）から、一端部を上部フランジ１５から突出させ、上部フランジ１５に取付けられた軸封装置２４に固定する。軸封装置２４は、反応容器１２とのシール性が確保されれば、特定の種類のものに限定されることなく、周知の軸封装置を使用することができる。磁力誘導撹拌機で使用される磁力誘導シール、メカニカルシールなどが例示される。
【００２９】
支持棒１７、及び撹拌軸２０を取付けた後、上部フランジ１５を下に、上下逆の状態とする。まず、一番上部の撹拌翼１３を撹拌軸２０に取付ける。撹拌翼１３は、中央にボス２１を有し、ボス２１には、撹拌翼１３を撹拌軸２０に固定するための固定ネジ（図示を省略）が設けられているため、撹拌軸２０にボス２１を通し、所定の位置で撹拌軸２０に固定する。次に支持棒１７に仕切板１４の位置を決めるための所定の長さを有するスリーブ１８を挿入する。挿入されたスリーブ１８は、自重で落下し、上部フランジ１５に当接した状態となる。次ぎに仕切板１４を支持棒１７に挿入する。挿入された仕切板１４も自重で落下し、先に挿入したスリーブ１８に当接する。以降同じ要領で、各段の撹拌翼１３を固定し、仕切板１４を支持棒１７に挿入する。最後の仕切板１４を挿入した後、支持棒１７の先端部に設けられたネジ部に、ナットを嵌め入れ、支持棒１７に挿入した全てのスリーブ１８及び仕切板１４が動かないようにナットで締め付ける。以上により、上部フランジ１５に撹拌翼１３、仕切板１４を固定することができる。なお、仕切板１４の固定は、支持棒を全ネジとし、ナットで各仕切板を挟み込み固定してもよいことはもちろんである。
【００３０】
上記のような構成からなる第一酸化反応器１０は、熱交換器４４により加熱された被処理物、及び酸素ガス供給装置６から供給される酸素含有ガスを管路２５を通じて受入れ、反応容器１２内で被処理物である有機物を酸素含有ガスで湿式酸化させる。このときの第一酸化反応器１０内の温度は、２００℃以上水の臨界温度（３７４℃）以下とするのが望ましい。温度の下限は十分な反応速度が得られる温度で決まり、上限は被処理液が液状で取扱えることにより決まる。また圧力は、第一酸化反応器１０内の温度において被処理液が充分に液体として存在し得る圧力以上とする。第一酸化反応器１０で有機物の大半が酸化分解された被処理物は、消費されなかった酸素含有ガスと共に、第二酸化反応器３０へ送られる。
【００３１】
第二酸化反応器３０は、第一酸化反応器１０の下流側に管路２６を介して直列に接続され、第一酸化反応器１０で未処理、未分解であった有機物を酸化分解する。第二酸化反応器３０は、縦長の反応容器３１内に触媒３２を充填した固定床触媒反応器である。反応容器３１の外側には、反応容器３１内の温度を調整するためのジャケット３３が設けられている。ここで使用可能な触媒３２としては、従来から使用されている、粒状あるいはペレット状のチタニア及びアルミナに、ルテニウム、パラジウム、白金などの貴金属を担持したものやゼオライトのような触媒を使用することができる。ここで、未処理、未分解であった有機物とは、第一酸化反応器１０をショートパスし、全く酸化分解反応が起こっていない有機物、酸化分解反応が不完全な有機物、酸化分解したものの他の有機物に変化した有機物、例えば酢酸、無害化するまで酸化分解していない有機物を言う。
【００３２】
第二酸化反応器３０では、第一酸化反応器１０では使用しなかった触媒を使用すると共に、積極的な気液混合を抑制し、反応容器３１内の流れを押出し流れとすることで、均一な滞留時間を確保し、未分解物、未処理物のショートパスを抑制し、処理物を水質基準値を満足する程度まで無害化する。ここで反応容器３１の長さＬ２と内径Ｄ２とのＬ２／Ｄ２比は、特定の値に限定されないけれども、上記の通り均一な滞留時間の確保、未処理物、未分解物のショートパスを抑制する観点から、大きい方が好ましい。第二酸化反応器３０から排出される処理液は、熱交換器４４で被処理物と熱交換し、自らの温度を下げ、処理液を回収する回収装置５へ送られる。第二酸化反応器３０内の温度、圧力は第一酸化反応器１０とほぼ同一である。
【００３３】
回収装置５は、熱交換器４４の出口に配設され、さらに処理液の温度を低下させる熱交換器５３、熱交換器５３の出口側に設置される圧力調整弁５２、圧力調整弁５２の出口側に設置される気液分離器５１を含み構成される。供給ポンプ４２から供給される被処理物と熱交換し、温度を低下させた処理液は、十分に温度を低下させるために熱交換器５３で冷却される。この冷却媒体には、工業用水などを使用することが可能で、熱交換し温度を上昇させた冷却媒体を通じて熱エネルギの回収を行うことができる。圧力調整弁５２は、酸化反応器２などの圧力を維持すると共に、この圧力を大気圧近傍まで減圧する。圧力調整弁５２で大気圧近傍まで減圧された処理液は、気液分離器５１で気体と液体とに分離された後、気体は大気に放散され、液体は回収される。回収された液体は、水質検査の後、必要に応じて下水道に放流される。
【００３４】
第一酸化反応器１０に供給する酸素含有ガスは、酸素ガス供給装置６を通じて行われる。酸素ボンベ６１に充填された圧縮酸素を減圧弁６２で減圧し圧力を調整した後、圧縮機６３に導き、ここで所定の圧力まで昇圧する。圧縮機６３の吐出部には、圧力変動を防止するためのバッファタンク６４が設けられ、ここで圧力の均一化が図られた後、酸素ガスは、圧力調整弁６５、流量調整弁６６を介して第一酸化反応器１０へ供給される。第二酸化反応器３０で使用する酸素含有ガスは、第一酸化反応器１０に第二酸化反応器３０で使用する酸素含有ガスを余分に供給することで行う。これにより第二酸化反応器３０で使用する酸素含有ガスは、第一酸化反応器１０の処理物と一緒に第二酸化反応器３０へ送られる。このように、第二酸化反応器３０で使用する酸素含有ガスを、第一酸化反応器１０を経由して送ることで、第一酸化反応器１０への酸素ガス量が増加し、酸化分解反応が促進される。さらに、第二酸化反応器で３０使用する酸素が液と十分に撹拌混合される効果もある。もちろん、第二酸化反応器３０についても、第一酸化反応器１０と同様、直接酸素含有ガスを供給してもよいことは言うまでもない。
【００３５】
本実施形態では、酸素ガスボンベ６１を使用して酸素ガスを第一酸化反応器１０へ供給する例を示しているけれども、酸素含有ガス源としては、この他、空気、酸素富化膜などで酸素濃度を上昇させた空気、ＰＳＡ（Ｐｒｅｓｓｕｒｅ  Ｓｗｉｎｇ  Ａｄｓｏｒｐｔｉｏｎ）方式の酸素ガス発生装置を利用し製造した高濃度酸素ガス、液体酸素を蒸発させた酸素ガス及びこれらを混合したガスを利用することができる。
【００３６】
以上のように本実施形態に示す有機物酸化分解装置１を使用することで、充分高い酸化率が得られかつ効率的に、液体中の有機物を湿式酸化し無害化することができる。特に酸化反応器２を、撹拌機１１を備える塔型反応器からなる第一酸化反応器１０、塔型反応器１０の下流側に位置する固定床触媒反応器からなる第二酸化反応器３０と、特性の異なる２つの酸化反応器２を直列に組合せて使用することで、効率的に液体中の有機物を湿式酸化することが可能となり、装置全体をコンパクトにすることができる。
【００３７】
酸化反応器２は、有機物酸化分解装置１の中心をなし、この酸化反応器２の性能が、有機物の分解率、装置の仕様に大きく影響する。湿式酸化法により有機物の分解を短時間にかつ高分解率とするためには、酸化分解速度を大きくすると共に、酸化反応器２内での平均滞留時間が均一で、ショートパスのない酸化反応器とする必要があり、これらを第一酸化反応器及び第二酸化反応器において実用的かつ効率的に実現する必要がある。酸化反応を２段に分けて行うことが効率的なことは、前記特許第２８７９１９９号公報に記載の通りである。酸化分解速度を大きくするためには、気液接触性能を高め、適正な反応温度に制御する必要がある。このためには、気液接触手段、例えば撹拌機を備える酸化反応器が好ましい。一方、酸化反応器内での平均滞留時間が均一で、ショートパスのない酸化反応器とするためには、反応器内で出きるだけ液の乱れを少なくする必要がある。
【００３８】
このように相反する要求を取り込み、かつ装置全体を効率的かつコンパクトにするためには、第一酸化反応器及び第二酸化反応器において適正な反応器形式を選択する必要がある。本発明では、前段の酸化分解工程で使用する第一酸化反応器１０に、撹拌機１１付の反応器を使用することで、高い酸化分解速度、及び高い温度制御性を確保した。撹拌機１１付の反応器を使用すると、反応容器１２内の流れが、完全混合流れに近づき、被処理物がショートパスし未分解、未処理のまま排出する恐れがあるため、次ぎの２点により被処理物が未分解のまま排出されることを防止した。第一酸化反応器１０を塔型反応器とすることで、反応器内の流れを全体として押出し流れに近づけ、未処理物、未分解物のショートパスを抑制した。
【００３９】
第二酸化反応器３０では、反応速度よりも未処理物、未分解物のショートパス、滞留時間の短い有機物を抑制する点を重視し、固定床触媒充填反応器とした。第二酸化反応器３０では、積極的に気液接触させる手段を設けていないため、酸化分解速度の低下が懸念されるけれども、固体触媒の助けにより酸化分解速度を確保する。さらに温度制御性も懸念されるが、第二酸化反応器３０の入口部おける有機物濃度は低く、第一酸化反応器に比較すると温度制御は容易である。以上のように前段に気液接触性能に優れる酸化反応器１０を配置し、後段に押出し流れ性に優れる酸化反応器３０を配置することで、全体として高い分解率を確保するとともに装置をコンパクト化することが可能となる。また装置全体を安価に製造することができる。
【００４０】
第一酸化反応器では、特に気液接触性能が重視され、反応器内の流れが押出し流れに近いことが望ましい。第一酸化反応器で求められるこれら性能のレベルは、被処理物の有機物濃度、酸化分解速度、必要な滞留時間などにより異なる。よって、上記実施形態に示すように、塔型反応器を用い、塔型反応器の内部を多段に仕切り、各段毎に撹拌翼を設置することが好ましいけれども、仕切板を設けることなく、撹拌軸に多段の撹拌翼を取付ける方法であってもよい。また、気液接触手段として、充填物を使用し、これを充填した反応器を第一酸化反応器としてもよい。さらに撹拌機付槽型反応器を複数直列に接続する方法であってもよい。これらは、求められる性能のレベル、装置コスト等を考慮し、適宜選択すればよい。
【００４１】
本発明の有機物酸化分解装置１では、有機物が完全に水に溶解した排水、スラリー状の有機物を含有する排水に限らず、有機物を水に混合した有機物含有液体であってもよい。例えば、食品、アルコール類などの製造過程において、含水率の高い有機物からなる脱水ケークが排出される場合がある。この脱水ケークは、排水ではないけれども、含水率が高く処理が容易ではない。このような有機物にあっては、これに水を加え、スラリーとすることで、本発明の有機物酸化分解装置で処理することが可能となる。
【図面の簡単な説明】
【００４２】
【図１】本発明の実施の一形態としての有機物酸化分解装置１の概略的構成を示すプロセスフロー図である。
【図２】図１の有機物酸化分解装置１に含まれる第一酸化反応器１０の一部を示す部分断面図である。
【図３】図１の有機物酸化分解装置１に含まれる第一酸化反応器１０の仕切板１４の変形例の一部を示す平面図である。
【符号の説明】
【００４３】
１  有機物酸化分解装置
６  酸素ガス供給装置
１０  第一酸化反応器
１１  撹拌機
１２  反応容器
１３  タービン翼
１４  仕切板
１６  支持体
３０  第二酸化反応器
３２  触媒
【図１】
2008221096.tif 000003
【図２】
2008221096.tif 000004
【図３】
2008221096.tif 000005